(57)【要約】【課題】本発明は、メモリを最小化できるようにした頭部装着型表示装置に関する。【解決手段】本発明の実施例による頭部装着型表示装置は、第１領域及び第２領域に分かれる第１パネル及び第２パネルを備える表示部と、上記表示部に表示される映像をユーザに供給するためのレンズ部と、上記表示部及びレンズ部に固定するためのフレームと、を備え、上記表示部は、上記第１領域に対応する第１補償データ及び上記第２領域に対応する第２補償データを保存するメモリと、外部から供給される第１データが上記第１領域または第２領域に属するかを判断するための位置判断部と、を備える。【選択図】図３
2018060200.tif 000002
【特許請求の範囲】
【請求項１】
少なくとも１つの第１領域及び第２領域に分かれる表示部と、
前記第１領域に対応する第１補償データ及び前記第２領域に対応する第２補償データが保存されているメモリと、を備え、
前記メモリにおいて、前記第１補償データに割り当てられる容量は前記第２補償データに割り当てられる容量よりも大きく設定されることを特徴とする頭部装着型表示装置。
【請求項２】
前記表示部に表示される映像をユーザに供給するためのレンズ部と、
前記表示部及び前記レンズ部を固定するためのフレームをさらに備えることを特徴とする請求項１に記載の頭部装着型表示装置。
【請求項３】
前記第１領域はユーザの左眼球及び右眼球のそれぞれに対応する中心領域に設定され、
前記第２領域は前記第１領域を除いた領域に設定されることを特徴とする請求項１に記載の頭部装着型表示装置。
【請求項４】
外部から供給される第１データが前記第１領域または前記第２領域に属するかを判断するための位置判断部をさらに備えることを特徴とする請求項１に記載の頭部装着型表示装置。
【請求項５】
前記位置判断部は、前記第１領域または前記第２領域に対応する位置情報を前記第１データに追加して第３データを生成することを特徴とする請求項４に記載の頭部装着型表示装置。
【請求項６】
前記第３データの供給を受け、前記第１補償データまたは前記第２補償データを用いて前記第３データのビットを変更して第２データを生成するためのタイミング制御部をさらに備えることを特徴とする請求項５に記載の頭部装着型表示装置。
【請求項７】
前記第１領域は曲線の形態で定義されることを特徴とする請求項５に記載の頭部装着型表示装置。
【請求項８】
前記第１補償データのそれぞれは前記第１領域に含まれ、少なくとも１つの画素を含む第１ブロック単位に対応し、
前記第２補償データのそれぞれは前記第２領域に含まれ、少なくとも２つ以上の画素を含む第２ブロック単位に対応することを特徴とする請求項１に記載の頭部装着型表示装置。
【請求項９】
前記第２ブロック単位は前記第１ブロック単位より多い画素を含むことを特徴とする請求項８に記載の頭部装着型表示装置。
【請求項１０】
前記第２補償データは、前記第２ブロック単位に含まれた前記２つ以上の画素の代表値によって生成されることを特徴とする請求項８に記載の頭部装着型表示装置。
【発明の詳細な説明】
【技術分野】
【０００１】
本発明の実施例は頭部装着型表示装置に関するもので、特に、メモリを最小化できるようにした頭部装着型表示装置に関する。
【背景技術】
【０００２】
頭部装着型表示装置（Ｈｅａｄ  Ｍｏｕｎｔｅｄ  Ｄｉｓｐｌａｙ  Ｄｅｖｉｃｅ：以下、「ＨＭＤ」という）は、臨場感のある映像を表示するための小型イメージ装置である。ＨＭＤはディスプレイの技術開発により商用化しており、高度な没入感覚を提供して映画鑑賞を含む様々な用途に使われている。
【０００３】
このようなＨＭＤは頭部に装着して使用するものであるため、小さくて軽く作らなければならない。即ち、ＨＭＤを小型化及び軽量化する方法が求められている。
【先行技術文献】
【特許文献】
【０００４】
【特許文献１】米国特許出願公開第２０１５／０１１６３８７号明細書
【発明の概要】
【発明が解決しようとする課題】
【０００５】
従って、本発明は、画質を保持しながらメモリを最小化できるようにした頭部装着型表示装置を提供する。
【課題を解決するための手段】
【０００６】
本発明の実施例による頭部装着型表示装置は、少なくとも１つの第１領域及び第２領域に分かれる表示部と、上記第１領域に対応する第１補償データ及び上記第２領域に対応する第２補償データが保存されているメモリを備え、上記メモリで上記第１補償データに割り当てられる容量は上記第２補償データに割り当てられる容量よりも大きく設定される。
【０００７】
また、上記表示部に表示される映像をユーザに供給するためのレンズ部と、上記表示部及びレンズ部を固定するためのフレームをさらに備える。
【０００８】
また、上記第１領域はユーザの左眼球及び右眼球のそれぞれに対応する中心領域に設定され、上記第２領域は上記第１領域を除いた領域に設定される。
【０００９】
また、外部から供給される第１データが上記第１領域または第２領域に属するかを判断するための位置判断部をさらに備える。
【００１０】
また、上記位置判断部は、上記第１領域または上記第２領域に対応する位置情報を上記第１データに追加して第３データを生成する。
【００１１】
また、上記第３データの供給を受け、上記第１補償データまたは第２補償データを用いて上記第３データのビットを変更して第２データを生成するためのタイミング制御部をさらに備える。
【００１２】
また、上記第１領域は曲線の形態で定義される。
【００１３】
また、上記第１領域は円形である。
【００１４】
また、上記位置判断部は、下記数式１を満たす場合、上記第１データが上記第１領域に属すると判断する。
【数１】
2018060200.tif 000003
数式１において、ｘ０、ｙ０は第１パネルと第２パネルのそれぞれの中心部に位置した画素の座標、ｘ、ｙは現在入力された第１データの位置座標、ｃは第１領域の大きさに対応する定数を表す。
【００１５】
また、上記第１領域は楕円形である。
【００１６】
また、上記位置判断部は、下記数式２を満たす場合、上記第１データが上記第１領域に属すると判断する。
【数２】
2018060200.tif 000004
数式２において、ｘ０、ｙ０は第１パネルと第２パネルのそれぞれの中心部に位置した画素の座標、ｘ、ｙは現在入力された第１データの位置座標、ｃは第１領域の大きさに対応する定数、ｂは楕円形に対応する定数を表す。
【００１７】
また、上記第１領域は多角形で定義される。
【００１８】
また、上記第１領域は四角形で定義される。
【００１９】
また、上記位置判断部は、下記数式３を満たす場合、上記第１データが上記第１領域に属すると判断する。
【数３】
2018060200.tif 000005
数式３において、ｘ０’は上記第１領域のＸ軸の始点の座標、ｘ１は上記第１領域のＸ軸の終点の座標、ｙ０’は上記第１領域のＹ軸の始点の座標、ｙ１は第１領域のＹ軸の終点の座標を意味する。
【００２０】
また、上記第１補償データのそれぞれは上記第１領域に含まれ、少なくとも１つの画素を含む第１ブロック単位に対応し、上記第２補償データのそれぞれは上記第２領域に含まれ、少なくとも２つ以上の画素を含む第２ブロック単位に対応する。
【００２１】
また、上記第２ブロック単位は上記第１ブロック単位より多い画素を含む。
【００２２】
また、上記第１ブロック単位に２つ以上の画素が含まれる場合、上記第１補償データは上記２つ以上の画素の代表値によって生成される。
【００２３】
また、上記代表値は上記２つ以上の画素の特性の平均値である。
【００２４】
また、上記第２補償データは、上記第２ブロック単位に含まれた上記２つ以上の画素の代表値によって生成される。
【００２５】
また、上記代表値は上記２つ以上の画素の特性の平均値である。
【発明の効果】
【００２６】
本発明の実施例によるＨＭＤは、中央部領域で第１補償データを用いて画質を補正し、周辺部領域で第２補償データを用いて画質を補正する。ここで、第１補償データは少なくとも１つの画素を含む第１ブロックに対応し、第２補償データは少なくとも２つ以上の画素を含む第２ブロックに対応して生成される。
【００２７】
即ち、本発明の実施例では、視認性の高い中央部領域では第１ブロック単位の画素に対応する第１補償データを用いて画質を補正し、視認性の低い周辺部領域では第２ブロック単位の画素に対応する第２補償データを用いて画質を補正する。そうすると、ユーザに画質の低下を認知されずにメモリを最小化することができ、これにより、ＨＭＤを小型化及び軽量化することができる。
【図面の簡単な説明】
【００２８】
【図１】本発明の実施例によるＨＭＤを示す図である。
【図２】図１のＨＭＤの構造を概略的に示す図である。
【図３】図２に示された表示部の実施例を示す図である。
【図４】図２に示された表示部の実施例を示す図である。
【図５】メモリに補償データが保存されるプロセスを概略的に示す図である。
【図６】本発明の実施例による第１領域及び第２領域を示す図である。
【図７】本発明の他の実施例による第１領域及び第２領域を示す図である。
【図８】本発明のさらに他の実施例による第１領域及び第２領域を示す図である。
【発明を実施するための形態】
【００２９】
以下では、添付の図面を参照して、本発明の実施例及びその他当業者の本発明の理解を助けるために必要な事項について詳細に記載する。ただし、本発明は、請求の範囲に記載された範囲内で様々な異なる形態に実現されることができるため、以下に説明する実施例は表現の有無に関わらず、例示的なものに過ぎない。
【００３０】
即ち、本発明は、以下に開示する実施例に限定されるものではなく、異なる多様な形態に実現されることができる。以下の説明において、ある部分が他の部分と連結されているというときは、直接連結されている場合だけでなく、その中間に他の素子を介して電気的に連結されている場合も含む。また、図面における同じ構成要素に対しては、他の図面上に表示されているとしてもなるべく同じ参照番号及び符号で示していることに留意すべきである。
【００３１】
図１は本発明の実施例によるＨＭＤを示す図である。図２は図１のＨＭＤの構造を概略的に示す図である。
【００３２】
図１及び図２を参照すると、ＨＭＤ１は、ユーザが装着可能なフレーム３０と、フレーム３０に取り付けられたレンズ部２０と、表示部１０と、を備える。
【００３３】
ユーザはフレーム３０を利用してＨＭＤ１を着用する。従って、フレーム３０はユーザが着用できる（Ｗｅａｒａｂｌｅ）ように形成される。図１には、フレーム３０が眼鏡型に示されているが、本発明はこれに限定されない。例えば、フレーム３０は、ユーザが着用できるようにヘルメットなどを含む様々な形状に形成されてもよい。
【００３４】
表示部１０は、外部の映像出力装置から入力されるデータに応じて所定の映像を表示する。そのために、表示部１０は少なくとも１つのパネルを含む。例えば、表示部１０は、左眼球に対応する第１パネル及び右眼球に対応する第２パネルを備えてもよい。当該表示部１０は、左眼球及び右眼球に供給される所定の映像を表示する。
【００３５】
表示部１０に含まれる第１パネル及び第２パネルは、液晶表示装置（Ｌｉｑｕｉｄ  Ｃｒｙｓｔａｌ  Ｄｉｓｐｌａｙ  Ｄｅｖｉｃｅ）及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）を含む様々な表示装置で実現されてもよい。
【００３６】
レンズ部２０は表示部１０から出力された映像をユーザの眼球方向に屈折させる。そのために、レンズ部２０は図示しない少なくとも１つのレンズを備える。ユーザは、レンズ部２０を経由して表示部１０を見ることで、一定の距離に大型スクリーンを置いて映像を見るのと同じ効果が得られる。
【００３７】
一方、ユーザはレンズ部２０を経由して第１パネル及び第２パネルの映像の入力を受けるため、第１パネル及び第２パネルのそれぞれは第１領域及び第２領域に分かれてもよい。
【００３８】
第１領域は視認性の高い領域を意味する。例えば、第１パネルの第１領域は第１パネルが中央に位置した画素を含むように設定されてもよい。同様に、第２パネルの第１領域も第２パネルの中央に位置した画素を含むように設定されることができる。
【００３９】
第２領域は視認性の低い領域を意味する。例えば、第１パネルから第１領域を除いた領域が第２領域に設定されてもよい。同様に、第２パネルから第１領域を除いた領域が第２領域に設定されることができる。
【００４０】
即ち、第１領域はユーザの左眼球及び右眼球のそれぞれに対応する中心領域に設定され、第２領域は上記第１領域を除いた領域に設定されてもよい。
【００４１】
本発明の実施例では、第１領域及び第２領域において異なる方法でデータを補正するため、画質を保持しながらメモリの容量を最小化することができる。これに対する詳細は後述する。
【００４２】
図３は、図２に示された表示部の実施例を示す図である。
【００４３】
図３を参照すると、本発明の実施例による表示部は、第１パネル１００と、第２パネル２００と、走査駆動部１１０と、データ駆動部１２０と、タイミング制御部１３０と、位置判断部１４０と、メモリ１５０と、を備える。
【００４４】
第１パネル１００はユーザの左眼球に供給される所定の映像を表示する。そのため、第１パネル１００は、走査線Ｓ及びデータ線Ｄと接続されるように位置する複数の画素ＰＸＬを備える。画素ＰＸＬは走査線Ｓに供給される走査信号によって選択され、データ線Ｄからデータ信号の供給を受ける。データ信号が供給された画素ＰＸＬは、データ信号に応じて所定輝度の光をレンズ部２０に供給する。
【００４５】
このような第１パネル１００は、視認性の高い第１領域と、視認性の低い第２領域とに分かれてもよい。例えば、第１領域は第１パネル１００の中央部領域に設定され、第２領域は第１パネル１００の中央部領域を除いた周辺部領域に設定されることができる。
【００４６】
第２パネル２００は、ユーザの右眼球に供給される所定の映像を表示する。そのため、第２パネル２００は走査線Ｓ及びデータ線Ｄと接続されるように位置する複数の画素ＰＸＬを備える。画素ＰＸＬは走査線Ｓに供給される走査信号によって選択され、データ線Ｄからデータ信号の供給を受ける。データ信号が供給された画素ＰＸＬは、データ信号に応じて所定輝度の光をレンズ部２０に供給する。
【００４７】
このような第２パネル２００は、視認性の高い第１領域と、視認性の低い第２領域とに分かれてもよい。例えば、第１領域は第２パネル２００の中央部領域に設定され、第２領域は第２パネル２００の中央部領域を除いた周辺部領域に設定されることができる。
【００４８】
一方、第１パネル１００及び第２パネル２００は物理的に１つのパネルで実現されてもよい。また、第１パネル１００及び第２パネル２００は物理的に分離された２つのパネルで実現されてもよい。
【００４９】
データ駆動部１２０は、タイミング制御部１３０から入力される第２データＤａｔａ２を用いてデータ信号を生成し、生成したデータ信号をデータ線Ｄに供給する。
【００５０】
走査駆動部１１０は走査線Ｓに走査信号を供給する。例えば、走査駆動部１１０は走査線Ｓに走査信号を順次供給することができる。走査線Ｓに走査信号が順次供給されると、画素ＰＸＬが水平ライン単位で選択され、走査信号によって選択された画素ＰＸＬはデータ信号の供給を受ける。
【００５１】
メモリ１５０には第１補償データ及び第２補償データが保存される。第１補償データ及び第２補償データは、第１パネル１００及び第２パネル２００の輝度が均一になるように予め保存される。ここで、第１補償データは、第１パネル１００及び第２パネル２００のそれぞれの第１領域に位置した画素ＰＸＬに対応して保存され、第２補償データは第１パネル１００及び第２パネル２００のそれぞれの第２領域に位置した画素ＰＸＬに対応して保存される。当該第１補償データ及び第２補償データは、互いに異なる画素ＰＸＬ数に対応して生成される。
【００５２】
例えば、第１補償データは、第１パネル１００及び第２パネル２００の第１領域に対応して第１ブロック単位の画素ＰＸＬ数に対応して生成される。そして、第２補償データは、第１パネル１００及び第２パネル２００の第２領域に対応して第２ブロック単位の画素ＰＸＬ数に対応して生成される。ここで、第２ブロックに含まれる画素ＰＸＬ数は第１ブロックに含まれた画素ＰＸＬの数と相違するように設定される。例えば、第２ブロックは第１ブロックより多い画素ＰＸＬを含んでもよい。
【００５３】
この場合、メモリ１５０で第１補償データに割り当てられる容量は、第２補償データに割り当てられる容量よりも大きく設定される。即ち、第１ブロック単位の画素ＰＸＬ数に対応して生成される第１補償データは、第２ブロック単位の画素ＰＸＬ数に対応して生成される第２補償データよりも多い保存容量を占める。
【００５４】
位置判断部１４０は外部から第１データＤａｔａ１の供給を受ける。第１データＤａｔａ１が供給された位置判断部１４０は、現在供給された第１データＤａｔａ１が第１領域または第２領域に属するかを判断する。第１データＤａｔａ１の位置を把握した位置判断部１４０は、第１データＤａｔａ１に位置情報を追加して第３データＤａｔａ３を生成し、生成した第３データＤａｔａ３をタイミング制御部１３０に供給する。
【００５５】
ここで、位置判断部１４０は、「１」または「０」のビットを第１データＤａｔａ１に追加して第３データＤａｔａ３を生成してもよい。例えば、位置判断部１４０は、現在入力された第１データＤａｔａ１が第１領域と判断される場合、「１」のビットを追加して第３データＤａｔａ３を生成することができる。そして、位置判断部１４０は、現在入力された第１データＤａｔａ１が第２領域と判断される場合、「０」のビットを追加して第３データＤａｔａ３を生成することができる。
【００５６】
タイミング制御部１３０は位置判断部１４０から第３データＤａｔａ３の供給を受ける。第３データＤａｔａ３が供給されたタイミング制御部１３０は、第３データＤａｔａ３の位置情報に応じて第１補償データまたは第２補償データを用いて第３データＤａｔａ３のビットを変更する。この時、ビットが変更された第３データＤａｔａ３が第２データＤａｔａ２としてデータ駆動部１２０に供給される。
【００５７】
例えば、タイミング制御部１３０は、第３データＤａｔａ３が第１領域に含まれる場合、第１補償データを用いてビットを変更することで、第２データＤａｔａ２を生成することができる。そして、タイミング制御部１３０は、第３データＤａｔａ３が第２領域に含まれる場合、第２補償データを用いてビットを変更することで、第２データＤａｔａ２を生成することができる。さらに、第２データＤａｔａ２が生成されるとき位置判断部１４０で追加された位置情報（例えば、「１」または「０」のビット）は除去されてもよい。
【００５８】
一方、タイミング制御部１３０は外部から供給されるタイミング信号に基づいてデータ制御信号ＤＣＳ及び走査制御信号ＳＣＳを生成する。タイミング制御部１３０で生成されたデータ制御信号ＤＣＳはデータ駆動部１２０に供給され、走査制御信号ＳＣＳは走査駆動部１１０に供給される。
【００５９】
データ制御信号ＤＣＳにはソーススタートパルス及びクロック信号が含まれる。ソーススタートパルスはデータのサンプリング開始時点を制御する。クロック信号はサンプリング動作を制御するために用いられる。
【００６０】
走査制御信号ＳＣＳにはスタートパルス及びクロック信号が含まれる。スタートパルスは最初の走査信号または最初の発光制御信号のタイミングを制御する。クロック信号はスタートパルスをシフトさせるために用いられる。
【００６１】
一方、上述した走査駆動部１１０、データ駆動部１２０、タイミング制御部１３０、位置判断部１４０及び／またはメモリ１５０は、第１パネル１００及び第２パネル２００の内部に形成されるか、または第１パネル１００及び第２パネル２００に取り付けられるように位置してもよい。即ち、走査駆動部１１０、データ駆動部１２０、タイミング制御部１３０、位置判断部１４０及び／またはメモリ１５０は、機能的に分離した構成要素として第１パネル１００及び第２パネル２００に一体型に形成されることができる。
【００６２】
また、位置判断部１４０はタイミング制御部１３０の内部に位置してもよい。即ち、位置判断部１４０は第１データＤａｔａ１の位置を判断するものであって、タイミング制御部１３０の内部または外部に位置することができる。
【００６３】
さらに、図３には、第１パネル１００及び第２パネル２００が同じ走査駆動部１１０及びデータ駆動部１２０によって駆動されることが示されているが、本発明はこれに限定されない。
【００６４】
例えば、図４に示したように、第１パネル１００は第１走査駆動部１１０及び第１データ駆動部１２０によって駆動され、第２パネル２００は第２走査駆動部１１０’及び第２データ駆動部１２０’によって駆動されてもよい。
【００６５】
図５は、メモリに補償データが保存されるプロセスを概略的に示す図である。
【００６６】
図５を参照すると、表示部１０が出荷される前に第１パネル１００及び第２パネル２００に含まれた画素ＰＸＬに同じデータ信号が供給される。画素ＰＸＬに同じデータ信号が供給された後、第１パネル１００及び第２パネル２００を図示されないカメラで撮影し、撮影したイメージを解析して各画素ＰＸＬの輝度差を抽出する。
【００６７】
この時、図５に示したように、第１座標ｘ１’、ｙ１’に位置した画素ＰＸＬは、第２座標ｘ２’、ｙ２’に位置した画素ＰＸＬよりも高い輝度に設定されることができる。補償データは、第１座標ｘ１’、ｙ１’に位置した画素ＰＸＬ及び第２座標ｘ２’、ｙ２’に位置した画素ＰＸＬの輝度差が補償されるように設定される。
【００６８】
例えば、第１座標ｘ１’、ｙ１’に対応して設定される補正データは、第１座標ｘ１’、ｙ１’に対応する第１データＤａｔａ１の輝度が低くなるように設定されてもよい。また、第２座標ｘ２’、ｙ２’に対応して設定される補正データは、第２座標ｘ２’、ｙ２’に対応する第１データＤａｔａ１の輝度が高くなるように設定されてもよい。そうすると、同じデータ信号に対応して、第１座標ｘ１’、ｙ１’及び第２座標ｘ２’、ｙ２’に位置した画素ＰＸＬで均一な輝度を実現することができる。
【００６９】
ただし、補償データが画素ＰＸＬのそれぞれに対応して設定される場合、メモリ１５０の容量が増加する。このようなメモリ１５０容量の増加は、ＨＭＤの小型化及び軽量化を困難にする。従って、本発明の実施例では、画質を保持するとともに、メモリ１５０の容量を減らすことができる方法を提案する。
【００７０】
さらに、図５では、カメラを用いてメモリ１５０に補償データを保存する方法について説明したが、本発明はこれに限定されない。即ち、本発明の実施例では、メモリ１５０に補償データが保存できるのであれば、現在公知の様々な方法を含んでもよい。
【００７１】
図６は、本発明の実施例による第１領域及び第２領域を示す図である。
【００７２】
図６を参照すると、本発明の実施例による第１パネル１００及び第２パネル２００は、第１領域１０３と第２領域１０４に分かれる。ここで、第１領域１０３は、第１パネル１００及び第２パネル２００の中心部に位置した画素ＰＸＬを含むようにその領域が定義されてもよい。図５では、第１パネル１００及び第２パネル２００の中心部に位置した画素ＰＸＬの座標を「ｘ０、ｙ０」と仮定する。
【００７３】
第１領域１０３は曲線の形態に定義されてもよい。例えば、第１領域１０３は円形に設定されてもよい。そして、第２領域１０４は第１パネル１００及び第２パネル２００から第１領域１０３を除いた領域に定義されてもよい。
【００７４】
第１領域１０３は第１パネル１００及び第２パネル２００の中央部領域であって、高い視認性を有する。従って、第１領域１０３のムラがユーザに認知されないように、第１補償データは第１ブロック１０１単位の画素ＰＸＬに対応して生成される。例えば、第１領域１０３にｋ個（ｋは自然数）の第１ブロック１０１が含まれる場合、ｋ個の第１補償データがメモリ１５０に保存されることができる。
【００７５】
一方、第１ブロック１０１は１つの画素ＰＸＬだけを含んでもよい。そうすると、第１補償データは画素ＰＸＬのそれぞれに対応してメモリ１５０に保存され、これにより、第１領域１０３で均一な映像を表示することができる。
【００７６】
また、第１ブロック１０１には２つ以上の画素ＰＸＬが含まれてもよい。この場合、第１補償データは第１ブロック１０１の代表値に対応して生成されることができる。例えば、第１ブロック１０１の代表値は、第１ブロック１０１に含まれた画素ＰＸＬの特性の平均値に設定されてもよい。
【００７７】
第２領域１０４は第１パネル１００及び第２パネル２００の周辺部領域であって、低い視認性を有する。従って、第２領域１０４のムラなどはユーザにあまり認知されない。よって、第２補償データは第２ブロック１０２単位の画素ＰＸＬに対応して生成される。ここで、第２ブロック１０２は少なくとも２つの画素ＰＸＬを含むように設定される。
【００７８】
この場合、第２補償データは第２ブロック１０２の代表値によって生成されることができる。例えば、第２ブロック１０２の代表値は、第２ブロック１０２に含まれた画素ＰＸＬの特性の平均値に設定されることができる。
【００７９】
さらに、第２ブロック１０２は、第１ブロック１０１より多い画素ＰＸＬを含むように設定される。このように、第２ブロック１０２に多い画素ＰＸＬが含まれる場合、第２補償データに対応したメモリ１５０の領域を最小化することができる。また、第２領域１０４は低い視認性を有する領域であって、第２補償データによって第２データＤａｔａ２が生成されてもムラなどがユーザにあまり認知されない。即ち、本発明の実施例では、第２ブロック１０２単位で第２補償データを生成することで、画質を保持しながらメモリ１５０を最小化することができる。
【００８０】
一方、図６に示したように第１領域１０３が円形を有する場合、位置判断部１４０は、数式１を用いて、第１データＤａｔａ１が第１領域１０３または第２領域１０４に位置するかを判断することができる。
【００８１】
【数４】
2018060200.tif 000006
【００８２】
数式１において、ｘ０、ｙ０は第１パネル１００及び第２パネル２００のそれぞれの中心部に位置した画素ＰＸＬの座標を示す。また、ｘ、ｙは現在入力された第１データＤａｔａ１の位置座標を示す。そして、ｃは第１領域の大きさ、即ち、円形の大きさに応じて任意に設定される定数値を意味する。
【００８３】
位置判断部１４０は、現在入力される第１データＤａｔａ１が数式１を満たす場合、第１データＤａｔａ１が第１領域１０３に位置すると判断し、その他は第１データＤａｔａ１が第２領域１０４に位置すると判断する。
【００８４】
一方、第１領域１０３は視認性の高い領域で、様々な形に設定されてもよい。例えば、第１領域１０３は、レンズ部２０に含まれたレンズの形に対応して設定されてもよい。
【００８５】
図７は本発明の他の実施例による第１領域及び第２領域を示す図である。図７を説明するにあたって、図６と機能的に同じ構成に対しては同じ符号を付する。
【００８６】
図７を参照すると、本発明の実施例による第１パネル１００及び第２パネル２００は、第１領域１０３’と第２領域１０４’に分かれる。
【００８７】
ここで、第１領域１０３’は、第１パネル１００及び第２パネル２００のそれぞれの中心部に位置した画素ＰＸＬ（座標：ｘ０、ｙ０）を含むようにその領域が定義されてもよい。第１領域１０３’は曲線の形態に定義されることができる。例えば、第１領域１０３’は楕円形に設定されてもよい。また、第２領域１０４’は第１パネル１００から第１領域１０３’を除いた領域に定義されてもよい。
【００８８】
第１領域１０３’は第１パネル１００及び第２パネル２００の中央部領域であって、高い視認性を有する。従って、第１領域１０３’のムラがユーザに認知されないように、第１補償データは第１ブロック１０１単位の画素ＰＸＬに対応して生成される。ここで、第１ブロック１０１は、１つ以上の画素ＰＸＬを含むように設定される。
【００８９】
第２領域１０４’は第１パネル１００の周辺部領域であって、低い視認性を有する。従って、第２領域１０４’のムラなどはユーザにあまり認知されない。そのため、第２補償データは第２ブロック１０２単位の画素ＰＸＬに対応して生成される。ここで、第２ブロック１０２は少なくとも２つ以上の画素ＰＸＬを含むように設定される。
【００９０】
例えば、第２ブロック１０２は、第１ブロック１０１より多い画素ＰＸＬを含むように設定される。このように、第２ブロック１０２に多い画素ＰＸＬが含まれる場合、第２補償データに割り当てられるメモリ１５０の領域を最小化することができる。また、第２領域１０４’は低い視認性を有する領域であって、第２補償データによって第２データＤａｔａ２が生成されてもムラなどがユーザにあまり認知されない。
【００９１】
一方、図７に示したように第１領域１０３’が楕円形を有する場合、位置判断部１４０は、数式２を用いて、第１データＤａｔａ１が第１領域１０３’または第２領域１０４’に位置するかを判断することができる。
【００９２】
【数５】
2018060200.tif 000007
【００９３】
数式２において、ｘ０、ｙ０は第１パネル１００及び第２パネル２００のそれぞれの中心部に位置した画素ＰＸＬの座標を示す。また、ｘ、ｙは現在入力された第１データＤａｔａ１の位置座標を示す。そして、ｃは第１領域１０３’の大きさ、即ち、円形の大きさに応じて任意に設定される定数値を意味する。また、ｂは楕円形に対応して任意に設定される定数値を意味する。
【００９４】
位置判断部１４０は、現在入力される第１データＤａｔａ１が数式２を満たす場合、第１データＤａｔａ１が第１領域１０３’に位置すると判断し、その他は第１データＤａｔａ１が第２領域１０４’に位置すると判断する。
【００９５】
図８は本発明のさらに他の実施例による第１領域及び第２領域を示す図である。図８を説明するにあたって、図６と機能的に同じ構成に対しては同じ符号を付する。
【００９６】
図８を参照すると、本発明の実施例による第１パネル１００及び第２パネル２００は、第１領域１０３’’と第２領域１０４’’に分かれる。
【００９７】
ここで、第１領域１０３’’は、第１パネル１００及び第２パネル２００のそれぞれの中心部に位置した画素ＰＸＬを含むようにその領域が定義されることができる。このような第１領域１０３’’は多角形に定義されることができる。例えば、第１領域１０３’’は四角形に設定されてもよい。そして、第２領域１０４’’は第１パネル１００及び第２パネル２００のそれぞれから第１領域１０３’’を除いた領域に定義されてもよい。
【００９８】
第１領域１０３’’は第１パネル１００及び第２パネル２００のそれぞれの中心部領域であって、高い視認性を有する。従って、第１領域１０３’’のムラがユーザに認知されないように、第１補償データは第１ブロック１０１単位の画素ＰＸＬに対応して生成される。ここで、第１ブロック１０１は１つ以上の画素ＰＸＬを含むように設定される。
【００９９】
第２領域１０４’’は第１パネル１００の周辺部領域であって、低い視認性を有する。従って、第２領域１０４’’のムラなどはユーザにあまり認知されない。そのため、第２補償データは第２ブロック１０２単位の画素ＰＸＬに対応して生成される。ここで、第２ブロック１０２は少なくとも２つ以上の画素ＰＸＬを含むように設定される。
【０１００】
例えば、第２ブロック１０２は、第１ブロック１０１より多い画素ＰＸＬを含むように設定される。このように第２ブロック１０２に多い画素ＰＸＬが含まれる場合、第２補償データに割り当てられるメモリ１５０の領域を最小化することができる。また、第２領域１０４’’は低い視認性を有する領域であり、第２補償データによって第２データＤａｔａ２が生成されてもムラなどがユーザにあまり認知されない。
【０１０１】
一方、図８に示したように第１領域１０３’’が四角形を有する場合、位置判断部１４０は、数式３を用いて、第１データＤａｔａ１が第１領域１０３’’または第２領域１０４’’に位置するかを判断することができる。
【０１０２】
【数６】
2018060200.tif 000008
【０１０３】
数式３において、ｘ０’は第１領域１０３’’のＸ軸の始点の座標、ｘ１は第１領域１０３’’のＸ軸の終点の座標、ｙ０’は第１領域１０３’’のＹ軸の始点の座標、ｙ１は第１領域１０３’’のＹ軸の終点の座標を意味する。
【０１０４】
位置判断部１４０は、現在入力される第１データＤａｔａ１が数式３を満たす場合、第１データＤａｔａ１が第１領域１０３’’に位置すると判断し、その他は第１データＤａｔａ１が第２領域１０４’’に位置すると判断する。
【０１０５】
一方、上述では、第２領域１０４、１０４’、１０４’’に対応して第２補償データが保存されることを説明したが、本発明はこれに限定されない。例えば、第２領域１０４、１０４’、１０４’’に対応して第２補償データが保存されなくてもよい。このように第２領域１０４、１０４’、１０４’’に対応して第２補償データが保存されない場合、メモリ１５０の容量を最小化することができる。
【０１０６】
さらに、第２領域１０４、１０４’、１０４’’に対応して第２補償データが保存されない場合、タイミング制御部１３０は、第２領域１０４、１０４’、１０４’’に対応する第３データＤａｔａ３が供給されるとき位置情報（例えば、「１」または「０」のビット）を除去して生成した第２データＤａｔａ２をデータ駆動部１２０に供給することができる。
【０１０７】
本発明の技術的思想は、上記好適な実施例に基づいて具体的に記述されているが、上記した実施例は説明するためのものであって、制限するためのものでないことに留意すべきである。また、本発明の技術分野の通常の知識を有する者であれば、本発明の技術的思想の範囲内で様々な変形例が可能であることは理解できるであろう。
【０１０８】
上述した発明に対する権利範囲は、添付の特許請求の範囲により決められるものであり、明細書本文の記載に拘束されず、請求の範囲の均等な範囲に属する変形や変更は、すべて本発明の範囲に属する。
【符号の説明】
【０１０９】
１  ＨＭＤ
１０  表示部
２０  レンズ部
３０  フレーム
１００、２００  パネル
１０１、１０２  ブロック
１０３、１０４  領域
１１０  走査駆動部
１２０  データ駆動部
１３０  タイミング制御部
１４０  位置判断部
１５０  メモリ
【図１】
2018060200.tif 000009
【図２】
2018060200.tif 000010
【図３】
2018060200.tif 000011
【図４】
2018060200.tif 000012
【図５】
2018060200.tif 000013
【図６】
2018060200.tif 000014
【図７】
2018060200.tif 000015
【図８】
2018060200.tif 000016